(57)【要約】      （修正有）【課題】ガラスと支持部材との界面が剥がれにくく、耐久性の良いヒータを提供する。【解決手段】本開示のヒータは、長手方向を有する棒状または筒状のセラミック体１１と、セラミック体１１の内部に埋設された発熱抵抗体１２と、一端が発熱抵抗体１２と電気的に接続されているとともに他端がセラミック体１１の後端側の側面に引き出された引出部とを有するヒータ本体１を備えている。また、ヒータ本体１の引出部よりも先端側に配置され、ヒータ本体１の側面に沿って延びる筒状部２１を有する金属製の支持部材２を備えている。さらに、ヒータ本体１の側面と支持部材２の筒状部２１とを接合するガラス３を備えている。【選択図】図１
2019133762.tif 000002
【特許請求の範囲】
【請求項１】
長手方向を有する棒状または筒状のセラミック体と、該セラミック体の内部に埋設された発熱抵抗体と、一端が前記発熱抵抗体と電気的に接続されているとともに他端が前記セラミック体の後端側の側面に引き出された引出部とを有するヒータ本体と、該ヒータ本体の前記引出部よりも先端側に配置され、該ヒータ本体の側面に沿って延びる筒状部を有する金属製の支持部材と、前記ヒータ本体の前記側面と前記支持部材の前記筒状部とを接合するガラスとを備えていることを特徴とするヒータ。
【請求項２】
前記筒状部は、前記ヒータ本体の側面に平行であることを特徴とする請求項１に記載のヒータ。
【請求項３】
前記筒状部は、内壁に前記ヒータ本体の長手方向に沿って延びる溝を有することを特徴とする請求項１または請求項２に記載のヒータ。
【請求項４】
前記溝の内面は曲面であることを特徴とする請求項３に記載のヒータ。
【請求項５】
前記筒状部は、前記ヒータ本体の長手方向に沿って延びる切欠きを有することを特徴とする請求項１または請求項２に記載のヒータ。
【請求項６】
前記支持部材は、前記筒状部の先端部に接続され、当該筒状部の先端部から後端側に向かって傘状に広がる拡径部を有することを特徴とする請求項１乃至請求項５のうちのいずれかに記載のヒータ。
【請求項７】
前記ガラスが前記筒状部の先端部からはみ出しているとともに、前記筒状部の先端部から前記拡径部の一部までを覆っていることを特徴とする請求項６に記載のヒータ。
【発明の詳細な説明】
【技術分野】
【０００１】
本開示は、流体加熱用ヒータ，粉体加熱用ヒータ，気体加熱用ヒータ，酸素センサ用ヒータ，半田ゴテ用ヒータ等に用いられるヒータに関するものである。
【背景技術】
【０００２】
長手方向を有する棒状または筒状のセラミック体と、該セラミック体の内部に埋設された発熱抵抗体とを有するヒータ本体と、該ヒータ本体が挿通される孔を有するカップ形状の支持部材と、支持部材の内側に充填されたガラスとを含むヒータが知られている（例えば特許文献１を参照）。このものは、カップ形状の支持部材の内側に溜まったガラスで、ヒータ本体と支持部材とが接合されている。
【先行技術文献】
【特許文献】
【０００３】
【特許文献１】国際公開第２０１６／０６８２４２号公報
【発明の概要】
【発明が解決しようとする課題】
【０００４】
上記のヒータは、ヒータ本体の長手方向に沿って見たときに、支持部材の内側に溜まったガラスの径方向の厚みの差が大きい。したがって、繰り返し昇降温を行うと、ガラスと支持部材との熱膨張差の影響により、厚みが大きい箇所で熱応力による負荷が大きくなり、ガラスと支持部材との界面で剥がれが生じるおそれがあった。さらに、その剥がれが進展して、ガラスと支持部材との界面が全体的に剥がれることで、耐久性が悪くなるおそれがあった。
【０００５】
本開示は、上記事情に鑑みてなされたもので、ガラスと支持部材との界面が剥がれにくく、耐久性の良いヒータを提供することを目的とする。
【課題を解決するための手段】
【０００６】
本開示のヒータは、長手方向を有する棒状または筒状のセラミック体と、該セラミック体の内部に埋設された発熱抵抗体と、一端が前記発熱抵抗体と電気的に接続されているとともに他端が前記セラミック体の後端側の側面に引き出された引出部とを有するヒータ本体を備えている。また、前記ヒータ本体の前記引出部よりも先端側に配置され、該ヒータ本体の側面に沿って延びる筒状部を有する金属製の支持部材を備えている。さらに、前記ヒータ本体の前記側面と前記支持部材の前記筒状部とを接合するガラスを備えている。
【発明の効果】
【０００７】
本開示のヒータによれば、ヒータ本体の長手方向に沿って見たときに、ヒータ本体と支持部材との間隔の差、すなわちガラスの径方向の厚みの差がほとんどないので、熱膨張差による応力が偏ることなく分散され、耐久性が向上する。
【図面の簡単な説明】
【０００８】
【図１】ヒータの一例を示す一部透過拡大斜視図である。
【図２】図１に示すヒータの概略縦断面図である。
【図３】ヒータの他の例を示す概略縦断面図である。
【図４】ヒータの他の例を示す概略縦断面図である。
【図５】ヒータを構成する支持部材の他の例を示す斜視図である。
【図６】ヒータを構成する支持部材の他の例を示す斜視図である。
【図７】ヒータの他の例を示す概略縦断面図である。
【発明を実施するための形態】
【０００９】
以下、ヒータの実施形態について図面を参照して説明する。
【００１０】
本開示のヒータは、長手方向を有する棒状または筒状のセラミック体１１と、セラミック体１１の内部に埋設された発熱抵抗体１２と、一端が発熱抵抗体１２と電気的に接続されているとともに他端がセラミック体１１の後端側の側面に引き出された引出部１３とを有するヒータ本体１を備えている。
【００１１】
ヒータ本体１を構成するセラミック体１１は、長手方向を有する棒状または筒状の部材である。棒状としては、例えば円柱状または角柱状等が挙げられる。なお、ここでいう棒状とは、例えば特定の方向に長く伸びた板状も含んでいる。また、筒状としては、例えば円筒状または角筒状が挙げられる。図１および図２に示すヒータ本体１においては、セラミック体１１は円筒状である。ヒータ本体１の長さは、例えば２０〜１５０ｍｍに設定される。セラミック体１１が円筒状の外径または断面円形状の場合の直径は、例えば２．５〜５０ｍｍに設定される。
【００１２】
ヒータ本体１は、セラミック体１１が円筒状の場合、セラミック体１１の内周面および／または外周面に被加熱物を接触させて加熱する。また、ヒータ本体１は、セラミック体２が棒状の場合、セラミック体１１の外周面に被加熱物を接触させて加熱する。
【００１３】
セラミック体１１は、例えば、棒状または筒状の芯材１１１と、芯材１１１の側面を覆うように設けられた表層部１１２とを有している。
【００１４】
セラミック体１１は、絶縁性のセラミック材料からなる。絶縁性のセラミック材料としては、例えばアルミナ、窒化珪素または窒化アルミニウムが挙げられる。耐酸化性があって製造しやすいという点では、セラミック体１１にアルミナを用いることができる。一方、高強度，高靱性，高絶縁性および耐熱性に優れるという点では、セラミック体１１に窒化珪素を用いることができる。また、熱伝導率に優れるという点では、セラミック体１１に窒化アルミニウムを用いることができる。なお、セラミック体１１には発熱抵抗体１２に含まれる金属元素の化合物が含まれていてもよく、例えば発熱抵抗体１２にタングステンまたはモリブデンが含まれている場合は、セラミック体１１にＷＳｉ２またはＭｏＳｉ２が含まれていてもよい。
【００１５】
セラミック体１１の内部には発熱抵抗体１２が埋設されている。発熱抵抗体１２は、電流が流れることによって発熱してセラミック体１１を加熱するものである。発熱抵抗体１２は、例えばタングステン（Ｗ）、モリブデン（Ｍｏ）またはレニウム（Ｒｅ）等の高融点の金属を主成分とした導電体からなる。発熱抵抗体１２の寸法は、例えば、幅を０．３〜２ｍｍ、厚みを０．０１〜０．１ｍｍ、全長を５００〜５０００ｍｍに設定することができる。これらの寸法は、発熱抵抗体１２の発熱温度および発熱抵抗体１２に加える電圧等によって適宜設定される。
【００１６】
発熱抵抗体１２は、セラミック体１１の先端側で最も発熱するように配置される。発熱抵抗体１２は、図１および図２に示す例では、セラミック体１１の先端側において長さ方向に繰り返して折り返しながら、周方向に沿って設けられた折返し部（蛇行部）を有している。また、発熱抵抗体１２は、折返し部の後端側においては一対の直線状部となっていて、それぞれの直線状部の後端部において引出部１３と電気的に接続されている。発熱抵抗体１２の横断面の形状は、円、楕円、矩形などいずれの形状でもよい。発熱抵抗体１２は、繰り返して折り返す折返し部が先端側だけにあるパターンではなく、先端側と後端側
との間を繰り返して往復するパターンであってもよい。
【００１７】
発熱抵抗体１２は、先端側の折返し部と後端側の一対の直線状部とが同様の材料を用いて形成されてもよい。また、不要な発熱を抑えるために、直線状部の断面積を折返し部の断面積よりも大きくしたり、直線状部におけるセラミック体１１の材料の含有量を折返し部におけるセラミック体１１の材料の含有量よりも少なくしたりすることによって、折返し部よりも直線状部の単位長さ当たりの抵抗値を小さくしてもよい。
【００１８】
引出部１３は、一端が発熱抵抗体１２と電気的に接続されていて、他端がセラミック体１１の後端側の側面に引き出されている。なお、セラミック体１１の後端側とは、セラミック体１１の長手方向の中央よりも後端側のことである。通常、引出部１３は、長手方向を４等分したときの最も後端部に位置する領域にある。引出部１３は、発熱抵抗体１２の直線状部と同様の材料からなるものでもよく、発熱抵抗体１２直線状部よりも抵抗値の低い材料からなるものでもよい。
【００１９】
セラミック体１１の後端側の側面には、必要により電極パッド１４が設けられて、セラミック体１１の内部に埋設された引出部１３と電気的に接続される。そして、電極パッド１４にリード端子が接合されて、外部回路（外部電源）と電気的に接続される。この電極パッド１４は、例えばモリブデン（Ｍｏ）またはタングステン（Ｗ）からなり、例えば５０〜３００μｍの厚みとされたものである。また、電極パッド１４の長さは例えば９ｍｍ、幅は例えば５ｍｍに設定することができる。なお、図１および図２に示す例では、引出部１３が引き出された部位が２箇所あって、それぞれの部位において電極パッド１４が設けられている。電極パッド１４は、例えばモリブデン（Ｍｏ）またはタングステン（Ｗ）からなる導体層のみからなるものでもよく、当該導体層の表面に例えばＮｉ−ＢまたはＡｕからなるメッキ層が設けられたものでもよい。
【００２０】
ヒータ本体１の側面には、外部に固定するための金属製の支持部材２が取り付けられている。支持部材２は、例えばＦｅやＮｉからなる合金が用いられ、具体的にはステンレス（ＳＵＳ）やＦｅ−Ｎｉ−Ｃｏ合金やＮｉ系耐熱合金等の材料が用いられる。
【００２１】
支持部材２は、ヒータ本体１の側面に沿って延びる筒状部２１を有している。この筒状部２１がヒータ本体１の側面、具体的にはヒータ本体１を構成するセラミック体１１の側面に接合されている。ここで、例えばヒータ本体１が円筒状または円柱状の場合、支持部材２の筒状部２１とは、セラミック体１１の外周よりも大きな内径を有する円筒である。
【００２２】
また、支持部材２は、筒状部２１に連続してフランジ部２２を有している。このフランジ部２２とは、ヒータ本体１の長手方向に垂直な径方向に拡がる円板状の部分である。ここで、図１および図２に示すフランジ部２２は筒状部２１の後端に接続されたものであるが、この形態に限られず、フランジ部２２が筒状部２１の長手方向のどこに接続されてもよい。例えば、図３に示すように、フランジ部２２が筒状部２１の長手方向の中央部に接続されていてもよい。
【００２３】
また、フランジ部２２は、図１〜図３に示すように一様に平坦であってもよいが、例えば外部装置に取り付ける関係などの理由で一部に凹凸が設けられていてもよく、図４および図５に示すように環状の溝（凹み）が設けられていてもよい。なお、図４および図５に示すフランジ部２２は、後端側の面に環状の凹みがあり、先端側の面に環状の凸部があるものである。
【００２４】
さらに、ヒータは、ヒータ本体１の側面と支持部材２の筒状部２１とを接合するためのガラス３を備えている。
【００２５】
支持部材２の筒状部２１の内径は、ガラス３をヒータ本体１の側面と支持部材２の筒状部２１との間に十分に行き渡らせて適度な接合力を得るようにするために、例えば筒状部２１が設けられる部位のヒータ本体１の外径の１０１〜１２０％の範囲、好ましくは１０５〜１１５％の範囲に設定される。
【００２６】
ガラス３としては、例えばＢ２Ｏ３・ＳｉＯ２・Ａｌ２Ｏ３系、ＳｉＯ２・Ｎａ２Ｏ系、ＳｉＯ２・ＰｂＯ系、ＳｉＯ２・Ａｌ２Ｏ３・ＢａＯ系のガラスなどを採用できる。
【００２７】
本開示のヒータによれば、ヒータ本体１の長手方向に沿って見たときに、ヒータ本体１と支持部材２との間隔の差、すなわちガラス３の径方向の厚みの差がほとんどないので、熱膨張差による応力が偏ることなく分散され、ガラス３と支持部材２との界面の剥がれが抑制される。したがって、ヒータの耐久性が向上する。
【００２８】
ここで、図２および図３に示すように、筒状部２１はヒータ本体１の側面に平行であってもよい。ヒータ本体１の長手方向に沿って見たときに、ガラス３の径方向の厚みの差がなく、ガラス３にかかる熱応力が一定のため、ガラス３と支持部材２との界面の剥がれが抑制される。したがって、ヒータの耐久性が向上する。
【００２９】
また、図４に示すように、筒状部２１は内壁にヒータ本体１の長手方向に沿って延びる溝２１１を有していてもよい。支持部材２の筒状部２１の内壁に溝２１１があることにより、ガラス３を流し込んで固める際の流れが長手方向に均一になり、また接合面積が大きくなることで、接合強度が増し、ヒータの耐久性が向上する。
【００３０】
ここで、溝２１１の幅は例えば０．２〜５．０ｍｍに設定され、溝２１１の深さは例えば０．２〜５．０ｍｍとし、溝２１１と溝２１１との間隔は例えば０．１〜７０ｍｍとし、溝２１１の本数は、周方向一回りに例えば２〜１００本とすることができる。
【００３１】
筒状部２１に溝２１１があるとき、筒状部２１の内壁の溝２１１（凹み）に対応して筒状部２１の外壁が突出した凸形状になっていてもよい。
【００３２】
また、図４に示すように、溝２１１の内面は曲面であってもよい。溝２１１の内面が曲面であることで、熱応力の応力集中が抑制され、ヒータの耐久性が向上する。
【００３３】
また、図５に示すように、筒状部２１はヒータ本体１の長手方向に沿って延びる切欠き２１２を有していてもよい。切欠き２１２があることにより、筒状部２１が径方向に広がるように変形でき、切欠き２１が支持部材２の熱膨張の緩衝材の役割となるため、熱応力が小さくなるため、ヒータの耐久性が向上する。
【００３４】
ここで、切欠き２１２としては、筒状部２１におけるフランジ部２２に接続される側とは反対側の端部から切り欠かれたスリットが挙げられる。切欠き２１２は、筒状部２１の長手方向の全域にかけて延びていてもよく、筒状部２１の長さ方向の途中まで延びていてもよい。また、例えば切欠き２１２の幅は長手方向に沿って一定であってもよく、端部から徐々に幅が狭くなる形状であってもよい。切欠き２１２の幅（最大幅）は、例えば０．２〜５．０ｍｍとし、切欠き２１２の幅が最大となる部位において、切欠き２１２と切欠き２１２との間隔は、例えば０．１〜１００ｍｍとし、切欠き２１２の本数は、周方向一回りで例えば２〜１００とすることができる。
【００３５】
また、図６に示すように、支持部材２は、筒状部２１の先端部に接続され、当該筒状部２１の先端部から後端側に向かって傘状に広がる拡径部２３を有していてもよい。ここで
、先端部とは、セラミック体１１の先端側に位置する端部のことを意味する。なお、この場合において、図６に示すように、拡径部２３の後端部に接続されて、径方向に広がるフランジ部２２を有していてもよい。拡径部２３があることで、支持部材２に外部からかかる応力が分散され低減されるため、ヒータの耐久性が向上する。
【００３６】
また、図７に示すように、ガラス３が筒状部２１の先端部からはみ出しているとともに、筒状部２１の先端部から拡径部２３の一部までを覆っていてもよい。支持部材２のガラス３で覆われた部分が腐食されにくくなるため、ヒータの耐久性が向上する。
【００３７】
次に、ヒータの製造方法の一例について説明する。ここでは、セラミック体１１がアルミナ質セラミックスからなる場合の例について説明する。
【００３８】
まず、Ａｌ２Ｏ３を主成分とし、ＳｉＯ２，ＣａＯ，ＭｇＯ，ＺｒＯ２が合計で１０質量％以内になるように調整したアルミナ質セラミックグリーンシートを作製する。
【００３９】
そして、このアルミナ質セラミックグリーンシートの表面に、発熱抵抗体１２となる所定のパターンを形成する。発熱抵抗体の形成方法としてはスクリーン印刷法、転写法、抵抗体埋設法、その他の方法として金属泊をエッチング法などにより形成する方法や、ニクロム線をコイル状に形成し埋設する方法などがあるが、スクリーン印刷法が品質面での安定性や製造コストが抑えられるといった面から用いられやすい。また、発熱抵抗体は折返し部と直線状部とからなるが、それぞれを別々な形成方法で形成しても良い。
【００４０】
セラミックグリーンシートの発熱抵抗体１２を形成する面とは反対側の面に、電極パッド１４を発熱抵抗体１２の形成と同様に所定のパターン形状で形成する。
【００４１】
また、セラミックグリーンシートには、発熱抵抗体１２と電極パッド１４とを電気的に接続するための孔加工および引出部１３を形成するための導体ペーストの充填がなされる。
【００４２】
発熱抵抗体１２、電極パッド１４および引出部１３は、例えばタングステン、モリブデン、レニウムなどの高融点金属を主成分とする導電性ペーストを用いることができる。
【００４３】
一方、押し出し成型にて円筒状のアルミナ質セラミック成型体を成型する。
【００４４】
そして、この円筒状のアルミナ質セラミック成型体に前述のアルミナ質セラミックグリーンシートを巻きつけ、同一の組成のアルミナ質セラミックスを分散させた密着液を塗布して密着させることで、セラミック体１１となるアルミナ質一体成型体を得ることができる。
【００４５】
こうして得られたアルミナ質一体成型体を１５００〜１６００℃の還元雰囲気中（窒素雰囲気）で焼成することで、アルミナ質一体成型体が収縮し、アルミナ質一体焼結体（ヒータ本体１）を作製することができる。
【００４６】
次に、ヒータ本体１に形成された電極パッド１４上に給電部形成時の下地となるメッキを施す。メッキは、ニッケルメッキ、金メッキ、スズメッキなどが汎用的である。メッキの施術方法は無電解メッキや電解メッキ、バレルメッキなどの施術方法を目的に応じて選択すると良い。
【００４７】
一方、支持部材２を、金属の切削、プレスなどで所望の形状に加工して、作製する。
【００４８】
次に、治具にヒータ本体１をセットし、支持部材２の筒状部２１に挿通させた状態で、ヒータ本体１と支持部材２との間にガラスを流し込んでこれらを接合する。具体的には、円柱状または円筒状のヒータの場合、リング状のガラス３固体を支持部材２のいずれか一方の端部に設置し、高熱で溶かしてヒータ本体１と支持部材２との間に流し込んだ後、冷やし固める。このとき、ガラス３がヒータ本体１と支持部材２との間を流れすぎてしまわないように、ガラス３の量を調整する。
【００４９】
なお、電極パッド４には、給電部としてリード部材をはんだ付けするなどの方法で接合する。
【００５０】
以上の方法により、本実施形態のヒータを作製することができる。
【符号の説明】
【００５１】
１：ヒータ本体
１１：セラミック体
１２：発熱抵抗体
１３：引出部
１４：電極パッド
２：支持部材
２１：筒状部
２１１：溝
２１２：切欠き
２２：フランジ部
２３：拡径部
３：ガラス
【図１】
2019133762.tif 000003
【図２】
2019133762.tif 000004
【図３】
2019133762.tif 000005
【図４】
2019133762.tif 000006
【図５】
2019133762.tif 000007
【図６】
2019133762.tif 000008
【図７】
2019133762.tif 000009